(57)【要約】【課題】  基準信号と位相変調信号とのスキューを低減しデータ伝送の高速化が可能なデータ伝送システムを得る。【解決手段】  基準信号ＲＥＦと入力データＤＩＮの値に対応付けられた位相差を基準信号ＲＥＦに対して有する位相変調信号ＤＡＴＡとを送信する送信装置３と、受信される基準信号ＲＥＦ０と位相変調信号ＤＡＴＡ０との位相差を基にデータを得る受信装置２とを有するデータ伝送システムにおいて、送信装置３は、データの伝送前に基準信号ＲＥＦとこれに対して位相差の無い調整信号ＤＡＴＡとを送信し、制御回路５は、受信装置２に受信される基準信号ＲＥＦ０と調整信号ＤＡＴＡ０との位相差が小さくなるよう可変遅延器４ａ，４ｂの遅延量を可変制御する。【選択図】      図１                                                  
2005328107.tif 000002
【特許請求の範囲】
【請求項１】
基準信号と入力データの値に対応付けられた位相差を前記基準信号に対して有する位相変調信号とを送信する送信装置と、受信される前記基準信号と前記位相変調信号との位相差を基に前記データを得る受信装置とを有するデータ伝送システムであって、
前記送信装置から伝送路を介して前記受信装置へ送信される前記基準信号及び前記位相変調信号の少なくとも一方を遅延させる可変遅延手段と、前記可変遅延手段の遅延量を可変制御する制御手段とを含み、
前記送信装置は、前記データの伝送前に前記基準信号と前記基準信号に対して一定の位相関係を有する調整信号とを前記伝送路を介して送信し、前記制御手段は、前記受信装置において受信される前記基準信号と前記調整信号との位相関係を前記一定の位相関係とするよう前記可変遅延手段の遅延量の可変制御をなすことを特徴とするデータ伝送システム。
【請求項２】
前記制御手段は、前記受信装置において受信される前記基準信号と前記調整信号との位相差を基に得られるデータを入力とし、このデータの値を基に前記可変制御をなすことを特徴とする請求項１記載のデータ伝送システム。
【請求項３】
前記可変遅延手段は、前記基準信号及び前記位相変調信号がそれぞれ伝送される前記伝送路に設けられる遅延回路を有し、前記制御手段は、前記遅延回路の一方の遅延量を一定に制御すると共に前記遅延回路の他方の遅延量を可変制御することを特徴とする請求項１又は２記載のデータ伝送システム。
【請求項４】
前記制御手段は前記データの伝送時、前記データの伝送前に可変制御された前記可変遅延手段の遅延量を維持せしめることを特徴とする請求項１〜３いずれか記載のデータ伝送システム。
【請求項５】
基準信号と入力データの値に対応付けられた位相差を前記基準信号に対して有する位相変調信号とを送信する送信装置と、受信される前記基準信号と前記位相変調信号との位相差を基に前記データを得る受信装置とを有するデータ伝送システムの動作制御方法であって、
前記データの伝送前に前記送信装置から前記基準信号と前記基準信号に対して一定の位相関係を有する調整信号とを前記データの伝送時に前記基準信号及び位相変調信号が送信される伝送路を介して送信するステップと、
前記受信装置において受信される前記基準信号と前記調整信号との位相関係を前記一定の位相関係とするよう、前記送信装置から前記伝送路を介して送信される前記基準信号及び前記位相変調信号の少なくとも一方を遅延させる可変遅延手段の遅延量の可変制御をなす制御ステップとを含むことを特徴とする動作制御方法。
【請求項６】
前記制御ステップは、前記受信装置において受信される前記基準信号と前記調整信号との位相差を基に得られるデータの値を基に前記可変制御をなすことを特徴とする請求項５記載の動作制御方法。
【請求項７】
前記可変遅延手段は、前記基準信号及び前記位相変調信号がそれぞれ伝送される前記伝送路に設けられる遅延回路を有し、前記制御ステップは、前記遅延回路の一方の遅延量を一定に制御すると共に前記遅延回路の他方の遅延量を可変制御することを特徴とする請求項５又は６記載の動作制御方法。
【請求項８】
前記データの伝送時、前記制御ステップにより可変制御された前記可変遅延手段の遅延量を維持せしめるステップを更に含むことを特徴とする請求項５〜７いずれか記載の動作制御方法。
【請求項９】
基準信号と入力データの値に対応付けられた位相差を前記基準信号に対して有する位相変調信号とを送信する送信装置と、受信される前記基準信号と前記位相変調信号との位相差を基に前記データを得る受信装置と、前記送信装置から伝送路を介して前記受信装置へ送信される前記基準信号及び前記位相変調信号の少なくとも一方を遅延させる可変遅延手段とを有するデータ伝送システムの制御装置であって、
前記データの伝送前に前記送信装置から前記伝送路を介して送信され前記受信装置において受信される前記基準信号と前記基準信号に対して一定の位相関係を有する調整信号との位相関係を前記一定の位相関係とするよう前記可変遅延手段の遅延量の可変制御をなす制御手段を含むことを特徴とする制御装置。
【請求項１０】
前記制御手段は、前記受信装置において受信される前記基準信号と前記調整信号との位相差を基に得られるデータを入力とし、このデータの値を基に前記可変制御をなすことを特徴とする請求項９記載の制御装置。
【請求項１１】
前記可変遅延手段は、前記基準信号及び前記位相変調信号がそれぞれ伝送される前記伝送路に設けられる遅延回路を有し、前記制御手段は、前記遅延回路の一方の遅延量を一定に制御すると共に前記遅延回路の他方の遅延量を可変制御することを特徴とする請求項９又は１０記載の制御装置。
【請求項１２】
前記制御手段は前記データの伝送時、前記データの伝送前に可変制御された前記可変遅延手段の遅延量を維持せしめることを特徴とする請求項９〜１１いずれか記載の制御装置。
【請求項１３】
前記受信装置に含まれることを特徴とする請求項９〜１２いずれか記載の制御装置。
【請求項１４】
基準信号と入力データの値に対応付けられた位相差を前記基準信号に対して有する位相変調信号とを送信する送信装置と、受信される前記基準信号と前記位相変調信号との位相差を基に前記データを得る受信装置と、前記送信装置から伝送路を介して前記受信装置へ送信される前記基準信号及び前記位相変調信号の少なくとも一方を遅延させる可変遅延手段とを有するデータ伝送システムの制御装置の制御方法であって、
前記データの伝送前に前記送信装置から前記伝送路を介して送信され前記受信装置において受信される前記基準信号と前記基準信号に対して一定の位相関係を有する調整信号との位相関係を前記一定の位相関係とするよう前記可変遅延手段の遅延量の可変制御をなすステップを含むことを特徴とする制御方法。
【請求項１５】
前記ステップは、前記受信装置において受信される前記基準信号と前記調整信号との位相差を基に得られるデータの値を基に前記可変制御をなすことを特徴とする請求項１４記載の制御方法。
【請求項１６】
前記可変遅延手段は、前記基準信号及び前記位相変調信号がそれぞれ伝送される前記伝送路に設けられる遅延回路を有し、前記ステップは、前記遅延回路の一方の遅延量を一定に制御すると共に前記遅延回路の他方の遅延量を可変制御することを特徴とする請求項１４又は１５記載の制御方法。
【請求項１７】
前記データの伝送時、前記ステップにより可変制御された前記可変遅延手段の遅延量を維持せしめるステップを更に含むことを特徴とする請求項１４〜１６いずれか記載の制御方法。
【発明の詳細な説明】
【技術分野】
【０００１】
本発明はデータ伝送システム、制御装置及びその方法に関し、特に基準信号と入力データの値に対応付けられた位相差を前記基準信号に対して有する位相変調信号とを送信する送信装置と、受信される前記基準信号と前記位相変調信号との位相差を基に前記データを得る受信装置とを有するデータ伝送システムに関する。
【背景技術】
【０００２】
図７は特許文献１記載のデータ伝送システムの構成を示す図であり、データ送信装置１とデータ受信装置２とを有する。図８は図７のデータ送信装置１の構成を示す図である。図８に示すように、データ送信装置１は、遅延回路１１及び１２と、マルチプレクサ１３及び１４とを有している。マルチプレクサ１３は、インバータ１３−１及び１３−２と、ＮＡＮＤ回路１３−３〜１３−５とを有し、マルチプレクサ１４は、インバータ１４−１及び１４−２と、ＮＡＮＤ回路１４−３〜１４−５とを有している。
【０００３】
遅延回路１１は、外部からのベース周波数を有する信号ＣＬＫを１単位時間遅延して出力するように構成されている。遅延回路１２は遅延回路１１の２倍の遅延時間を有するものであり、信号ＣＬＫを２単位時間遅延して出力するように構成されている。
【０００４】
マルチプレクサ１３は、常に遅延回路１１の出力を選択して基準信号ＲＥＦとして出力する。なお、マルチプレクサ１３は、マルチプレクサ１４の処理にかかる時間を吸収し、マルチプレクサ１４の出力と同期を取るために用いられる。従って、マルチプレクサ１４の処理が非常に高速であり、処理時間が無視できるようならば、マルチプレクサ１３を用いず、遅延回路１１の出力を基準信号ＲＥＦとしてそのまま出力してもよい。
【０００５】
マルチプレクサ１４は、入力データＤＩＮによって、信号ＣＬＫまたは遅延回路１２からの信号のいずれかを選択し、伝送データ（位相変調信号）ＤＡＴＡとして出力する。具体的に説明すると、マルチプレクサ１４は、信号ＣＬＫと、遅延回路１２からの信号（信号ＣＬＫに対して２単位時間位相が遅延した信号）とを入力とする。そして、図１０（ａ）に示されるように、データＤＩＮが”０”の時は信号ＣＬＫを選択してデータＤＡＴＡとして出力し、データＤＩＮが”１”の時は遅延回路１２からの信号を選択して伝送データＤＡＴＡとして出力する。つまり、マルチプレクサ１４から出力される伝送データＤＡＴＡの位相は、データＤＩＮ＝”０”の場合には、マルチプレクサ１３から出力される基準信号ＲＥＦの位相に対して１単位時間ｔＤ１進んでおり、データＤＩＮ＝”１”の場合には、基準信号ＲＥＦの位相に対して１単位時間ｔＤ１遅れて出力される。なお、図１０（ａ）は図７のデータ送信装置１の動作を示すタイミングチャートである。
【０００６】
以上の構成により、データ送信装置１からは、基準信号ＲＥＦと伝送データＤＡＴＡとが出力される。
【０００７】
図９は図７のデータ受信装置２の構成を示す図である。図９に示すように、基準信号ＲＥＦと伝送データＤＡＴＡとが入力されるデータ受信装置２は、位相比較器２１とＲＳラッチ２２とを有する。位相比較器２１は、インバータ２１−１〜２１−６とＮＡＮＤ回路２１−７〜２１−１５とを有し、ＲＳラッチ２２は、ＮＡＮＤ回路２２−１及び２２−２を有する。
【０００８】
位相比較器２１は、基準信号ＲＥＦと伝送データＤＡＴＡとを入力とし、基準信号ＲＥＦと伝送データＤＡＴＡとの位相差を検出するように構成されている。そして、伝送データＤＡＴＡの位相が基準信号ＲＥＦの位相に対して位相が進んでいる場合には、位相進み検出信号Ｒが位相差分のパルス幅を有して出力される。一方、伝送データＤＡＴＡの位相が基準信号ＲＥＦの位相に対して位相が遅れている場合には、位相遅れ検出信号Ｓが位相差分のパルス幅を有して出力される。
【０００９】
すなわち、伝送データＤＡＴＡの位相が基準信号ＲＥＦの位相に対して１単位時間進んでいる場合、位相進み検出信号Ｒが１単位時間分のパルス幅を有して出力される。一方、伝送データＤＡＴＡの位相が基準信号ＲＥＦの位相に対して１単位時間遅れている場合、位相遅れ検出信号Ｓが１単位時間分のパルス幅を有して出力される。
【００１０】
ＲＳラッチ２２は、位相遅れ検出信号Ｓと位相進み検出信号Ｒとを入力とする。図１０（ｂ）に示すように、ＲＳラッチ２２のリセット入力に位相進み検出信号Ｒが印可されると、すなわち伝送データＤＡＴＡの位相が基準信号ＲＥＦの位相に対して進んでいると、データ出力端子ＤＯＵＴ＝”０”となり、ＲＳラッチ２２のセット入力に位相遅れ検出信号Ｓが印可されると、すなわち伝送データＤＡＴＡの位相が基準信号ＲＥＦの位相に対して遅れていると、ＤＯＵＴ＝”１”となり、復調出力ＤＯＵＴを得るように構成されている。なお、図１０（ｂ）は図７のデータ受信装置２の動作を示すタイミングチャートである。
【００１１】
【特許文献１】特開２００３−１７４４８４号公報（第５〜７頁、第１〜７図）
【発明の開示】
【発明が解決しようとする課題】
【００１２】
上記のデータ伝送システムにおいては、図１１（ａ）のように、入力データＤＩＮの値に応じて基準信号ＲＥＦに対する位相変調信号ＤＡＴＡの位相は進みまたは遅れている必要がある。
【００１３】
しかし、ＬＳＩや伝送路の遅延バラツキによって基準信号と位相変調信号とのスキューが発生し、図１１（ｂ）のように基準信号ＲＥＦに対して位相変調信号ＤＡＴＡが入力データＤＩＮの値によらず常に進んでいたり、図１１（ｃ）のように基準信号ＲＥＦに対して位相変調信号ＤＡＴＡが入力データＤＩＮの値によらず常に遅れていたりすると、受信装置で誤動作する問題がある。
【００１４】
本発明の目的は、基準信号と位相変調信号とのスキューを低減しデータ伝送の高速化が可能なデータ伝送システム、制御装置及びその方法を提供することである。
【課題を解決するための手段】
【００１５】
本発明によるデータ伝送システムは、基準信号と入力データの値に対応付けられた位相差を前記基準信号に対して有する位相変調信号とを送信する送信装置と、受信される前記基準信号と前記位相変調信号との位相差を基に前記データを得る受信装置とを有するデータ伝送システムであって、前記送信装置から伝送路を介して前記受信装置へ送信される前記基準信号及び前記位相変調信号の少なくとも一方を遅延させる可変遅延手段と、前記可変遅延手段の遅延量を可変制御する制御手段とを含み、前記送信装置は、前記データの伝送前に前記基準信号と前記基準信号に対して一定の位相関係を有する調整信号とを前記伝送路を介して送信し、前記制御手段は、前記受信装置において受信される前記基準信号と前記調整信号との位相関係を前記一定の位相関係とするよう前記可変遅延手段の遅延量の可変制御をなすことを特徴とする。
【００１６】
本発明による動作制御方法は、基準信号と入力データの値に対応付けられた位相差を前記基準信号に対して有する位相変調信号とを送信する送信装置と、受信される前記基準信号と前記位相変調信号との位相差を基に前記データを得る受信装置とを有するデータ伝送システムの動作制御方法であって、前記データの伝送前に前記送信装置から前記基準信号と前記基準信号に対して一定の位相関係を有する調整信号とを前記データの伝送時に前記基準信号及び位相変調信号が送信される伝送路を介して送信するステップと、前記受信装置において受信される前記基準信号と前記調整信号との位相関係を前記一定の位相関係とするよう、前記送信装置から前記伝送路を介して送信される前記基準信号及び前記位相変調信号の少なくとも一方を遅延させる可変遅延手段の遅延量の可変制御をなす制御ステップとを含むことを特徴とする。
【００１７】
本発明による制御装置は、基準信号と入力データの値に対応付けられた位相差を前記基準信号に対して有する位相変調信号とを送信する送信装置と、受信される前記基準信号と前記位相変調信号との位相差を基に前記データを得る受信装置と、前記送信装置から伝送路を介して前記受信装置へ送信される前記基準信号及び前記位相変調信号の少なくとも一方を遅延させる可変遅延手段とを有するデータ伝送システムの制御装置であって、前記データの伝送前に前記送信装置から前記伝送路を介して送信され前記受信装置において受信される前記基準信号と前記基準信号に対して一定の位相関係を有する調整信号との位相関係を前記一定の位相関係とするよう前記可変遅延手段の遅延量の可変制御をなす制御手段を含むことを特徴とする。
【００１８】
本発明による制御方法は、基準信号と入力データの値に対応付けられた位相差を前記基準信号に対して有する位相変調信号とを送信する送信装置と、受信される前記基準信号と前記位相変調信号との位相差を基に前記データを得る受信装置と、前記送信装置から伝送路を介して前記受信装置へ送信される前記基準信号及び前記位相変調信号の少なくとも一方を遅延させる可変遅延手段とを有するデータ伝送システムの制御装置の制御方法であって、前記データの伝送前に前記送信装置から前記伝送路を介して送信され前記受信装置において受信される前記基準信号と前記基準信号に対して一定の位相関係を有する調整信号との位相関係を前記一定の位相関係とするよう前記可変遅延手段の遅延量の可変制御をなすステップを含むことを特徴とする。
【００１９】
このように、本発明では、基準信号と入力データの値に対応付けられた位相差を基準信号に対して有する位相変調信号とを送信する送信装置と、受信される基準信号と位相変調信号との位相差を基にデータを得る受信装置とを有するデータ伝送システムにおいて、送信装置はデータ伝送前の調整期間に基準信号と基準信号に対して位相差の無い調整信号を送信する。そして、受信装置は、受信される基準信号と調整信号との位相差を検出し、制御装置は位相差が小さくなるように、送信装置及び受信装置間の伝送路に設けられた遅延手段の遅延量を可変制御する。
【発明の効果】
【００２０】
本発明によれば、基準信号と入力データの値に対応付けられた位相差を基準信号に対して有する位相変調信号とを送信する送信装置と、受信される基準信号と位相変調信号との位相差を基にデータを得る受信装置とを有するデータ伝送システムにおいて、データの伝送前に送信装置から基準信号と基準信号に対して一定の位相関係を有する調整信号とをデータの伝送時に基準信号及び位相変調信号が送信される伝送路を介して送信し、受信装置において受信される基準信号と調整信号との位相関係を上記一定の位相関係とするよう、送信装置から伝送路を介して送信される基準信号及び位相変調信号の少なくとも一方を遅延させる可変遅延手段の遅延量の可変制御をなすことによって、基準信号と位相変調信号とのスキューを低減しデータ伝送の高速化を図ることができるという効果が得られる。
【発明を実施するための最良の形態】
【００２１】
以下、本発明の実施例について図面を参照して説明する。
【００２２】
図１は本発明の実施例によるデータ伝送システムの構成を示す図であり、図７と同等部分は同一符号にて示している。本発明の実施例によるデータ伝送システムは、データ送信装置３と、可変遅延器４ａ及び４ｂと、データ受信装置２と、制御回路５とを有している。なお、データ受信装置２の構成は図９に示した構成と同様である。
【００２３】
データ送信装置３は、データ伝送前の位相を調整する調整期間には基準信号と基準信号に対して一定の位相関係を有する調整信号とを送信し、調整期間後のデータ伝送期間には基準信号と入力データの値に対応付けられた位相差を基準信号に対して有する位相変調信号とを送信する。
【００２４】
可変遅延器４ａ及び４ｂは、データ送信装置３からの基準信号ＲＥＦと位相変調信号（または調整信号）ＤＡＴＡとをそれぞれ遅延させる遅延手段である。なお、可変遅延器４ａ及び４ｂには同じ特性を持つものを使用することが好ましい。これは、温度変化等により特性が変化しても同じ方向に変化するためである。
【００２５】
データ受信装置２は、図９に示すように位相比較器２１とＲＳラッチ２２とを有し、可変遅延器４ａ及び４ｂによりぞれぞれ遅延された基準信号ＲＥＦ０と位相変調信号（または調整信号）ＤＡＴＡ０との位相差を位相比較器２１により検出し、検出された位相差に対応付けられた値を有するデータＤＯＵＴをＲＳラッチ２２により出力する。なお、調整期間の場合には、符号ＤＡＴＡは基準信号ＲＥＦに対して一定の位相関係を有する調整信号を示し、符号ＤＡＴＡ０は可変遅延器４ｂにより遅延された調整信号を示す。データ伝送期間の場合には、符号ＤＡＴＡは入力データＤＩＮの値に対応付けられた位相差を基準信号ＲＥＦに対して有する位相変調信号を示し、符号ＤＡＴＡ０は可変遅延器４ｂにより遅延された位相変調信号を示す。
【００２６】
制御回路５は、調整期間には受信装置２において受信される基準信号ＲＥＦ０と調整信号ＤＡＴＡ０との位相関係を上記一定の位相関係とするよう可変遅延器４ａ及び４ｂの遅延量を制御し、データ伝送期間には調整期間に制御された可変遅延器４ａ及び４ｂの遅延量を維持せしめる。
【００２７】
図２は図１のデータ送信装置３の構成を示す図であり、図８と同等部分は同一符号にて示している。図２に示すように、データ送信装置３は、遅延回路１１及び１２と、マルチプレクサ１３及び１４と、ＮＯＲ回路３１と、インバータ３２とを有している。
【００２８】
データ伝送期間では調整指示信号ＡＤＪ＝”０”によって、データ送信装置３は図８の送信装置１と同様に、データＤＩＮ＝”０”の場合には基準信号ＲＥＦの位相に対して１単位時間位相が進んだ位相変調信号ＤＡＴＡを出力し、データＤＩＮ＝”１”の場合には基準信号ＲＥＦの位相に対して１単位時間位相が遅れた位相変調信号ＤＡＴＡを出力する。調整期間では調整指示信号ＡＤＪ＝”１”によって、データ送信装置３は、基準信号ＲＥＦと位相差の無い調整信号ＤＡＴＡを出力する。
【００２９】
この調整期間において、可変遅延器４ａ及び４ｂを介してデータ受信装置２に受信される基準信号ＲＥＦ０と調整信号ＤＡＴＡ０との位相差を検出し、この位相差を小さくなるように制御回路５によって可変遅延器４ａ及び４ｂを調整する。
【００３０】
図３（ａ）は図１の可変遅延器４ａ，４ｂの構成例を示す図であり、図３（ｂ）は図３（ａ）の負荷の構成を示す図である。図３（ａ）に示すように、可変遅延器４ａ及び４ｂの各々は、インバータ４−１〜４−８と、負荷４−９〜４−１４とを有する。図３（ｂ）に示すように、負荷４−９〜４−１４の各々は、ｎＭＯＳトランジスタ１００及び容量１０１からなり、制御端子Ａ＝”０”ではｎＭＯＳトランジスタ１００がオフし容量１０１がインバータの負荷として見えないので遅延は速くなる。
【００３１】
逆に、制御端子Ａ＝”１”ではｎＭＯＳトランジスタ１００がオンし容量１０１がインバータの負荷として見えるので遅延は遅くなる。実際には論理値”０”から”１”の間はＧＮＤから電源電圧ＶＤＤに対応し、任意の値を印可することで遅延量を連続的に可変することができる。よって、制御端子ＣＮＴによってＩＮ−ＯＵＴ間の遅延量を可変することができる。
【００３２】
図４は図１の制御回路５の構成例を示す図である。図４に示すように、制御回路５は、抵抗５−１〜５−３と、容量５−４と、トランジスタ５−５〜５−８と、インバータ５−９とを有する。制御回路５の出力ＶＲＥＦとして抵抗分割により一定の電圧が生成され可変遅延器４ａの制御端子ＣＮＴに入力され、可変遅延器４ａの遅延量を一定にする。
【００３３】
制御回路５の入力ＤＩＮはデータ受信装置２の出力ＤＯＵＴに接続されている。調整期間においては調整指示信号ＡＤＪ＝”１”となる。基準信号ＲＥＦ０に対し調整信号ＤＡＴＡ０の位相が進んでいる場合は、制御回路５の入力ＤＩＮ＝”０”であり、容量５−４が充電され制御回路５の出力ＣＮＴの電位が上昇する。よって、可変遅延器４ｂの遅延量が増加し基準信号ＲＥＦ０と調整信号ＤＡＴＡ０の位相差が少なくなるように動作する。基準信号ＲＥＦ０に対し調整信号ＤＡＴＡ０の位相が遅れている場合は、制御回路５の入力ＤＩＮ＝”１”であり、容量５−４が放電され制御回路５の出力ＣＮＴの電位が低下する。よって、可変遅延器４ｂの遅延量が減少し基準信号ＲＥＦ０と調整信号ＤＡＴＡ０の位相差が少なくなるように動作する。
【００３４】
以上の制御回路５の動作によって基準信号ＲＥＦ０と調整信号ＤＡＴＡ０の位相差をゼロとすることができ、データ伝送期間においては調整指示信号ＡＤＪ＝”０”とし、容量５−４を充放電する経路が無くなるので制御回路５の出力ＣＮＴの電位は容量５−４によって保持される。すなわちデータ伝送期間においては、可変遅延器４ｂの遅延量は調整期間に制御された値に維持される。
【００３５】
なお、可変遅延器４ａ，４ｂのインバータの段数や負荷、制御回路５の抵抗や容量は、遅延調整量や位相比較精度などにより適切に変えてよい。
【００３６】
次に、本発明の実施例によるデータ伝送システムの動作について図面を参照して説明する。
【００３７】
まず、図１１（ｂ）、（ｃ）のように基準信号ＲＥＦと位相変調信号ＤＡＴＡがずれた場合を図１１（ａ）の理想状態となるよう調整する調整期間の動作を図５を用いて説明する。図５（ａ）は調整期間におけるデータ送信装置３の動作を示すタイミングチャートであり、図５（ｂ）は調整期間におけるデータ受信装置２及び制御回路５の動作を示すタイミングチャートである。
【００３８】
図５（ａ）に示すように、調整指示信号ＡＤＪ＝”１”によって、基準信号ＲＥＦと位相差の無い調整信号ＤＡＴＡとが生成される。これは、図２に示すように、ベース周波数を有する信号ＣＬＫがマルチプレクサ１３及び１４へ遅延回路を介さずに入力され出力されることで実現している。この基準信号ＲＥＦと位相差の無い調整信号ＤＡＴＡが、実際の伝送路や回路のバラツキなどで図１１の（ｂ）や（ｃ）のようにずれることがある。
【００３９】
図５（ｂ）に示すように、データ受信装置２に入力される基準信号ＲＥＦ０と調整信号ＤＡＴＡ０とがずれている場合、このずれが基準信号ＲＥＦ０と調整信号ＤＡＴＡ０との位相差として位相比較器２１により検出され、位相比較器２１の比較結果に対応する出力ＤＯＵＴがＲＳラッチ２２より出力される。そして、制御回路５はデータ受信装置２の出力ＤＯＵＴを基に、データ送信装置３とデータ受信装置２間の伝送路に設けられた可変遅延器４ａ及び４ｂを位相差が小さくなるように調整する。なお、図５（ｂ）では、制御回路５の出力ＶＲＥＦ及びＣＮＴはその初期値をＶＤＤ／２としている。
【００４０】
次に、通常のデータ伝送期間の動作ついて図６を用いて説明する。図６（ａ）はデータ伝送期間におけるデータ送信装置３の動作を示すタイミングチャートであり、図６（ｂ）はデータ伝送期間におけるデータ受信装置２及び制御回路５の動作を示すタイミングチャートである。
【００４１】
データ伝送期間では、調整指示信号ＡＤＪ＝”０”がデータ送信装置３及び制御回路５に入力される。図６（ａ）に示すように、データ送信装置３は、ベース周波数を有する信号ＣＬＫを入力とし、これを遅延回路１１によって１単位時間ｔＤ１遅らせ、マルチプレクサ１３を介して基準信号ＲＥＦとして出力する。また、信号ＣＬＫはマルチプレクサ１４に入力されると共に遅延回路１２に入力され、２単位時間ｔＤ２遅らされた信号もマルチプレクサ１４に入力される。
【００４２】
マルチプレクサ１４は入力データＤＩＮが”０”の場合には、信号ＣＬＫ（遅延されていない信号）を選択し位相変調信号ＤＡＴＡとして出力する。一方、データＤＩＮが”１”の場合には、遅延回路１２によって２単位時間ｔＤ２遅らされた信号ＣＬＫが選択されて、位相変調信号ＤＡＴＡとして出力される。したがって、データＤＩＮ＝”０”の時は基準信号ＲＥＦに対して位相変調信号ＤＡＴＡは１単位時間ｔＤ１分位相が進んでおり、ＤＩＮ＝”１”の時は基準信号ＲＥＦに対して位相変調信号ＤＡＴＡは１単位時間ｔＤ１分位相が遅れたものが伝送される。
【００４３】
データ受信装置２では、可変遅延器４ａ及び４ｂを介して到来する基準信号ＲＥＦ０と位相変調信号ＤＡＴＡ０とを受信し、位相比較器２１により位相の比較が行われる。図６（ｂ）に示すように、制御回路５は、その出力ＶＲＥＦ及びＣＮＴを調整期間に調整された電圧値に維持するので、データ受信装置２に受信される基準信号ＲＥＦ０と位相変調信号ＤＡＴＡ０との位相関係は、基準信号ＲＥＦと位相変調信号ＤＡＴＡとの位相関係を保っている。
【００４４】
位相比較器２１は、基準信号ＲＥＦ０と位相変調信号ＤＡＴＡ０との位相差を検出し、位相変調信号ＤＡＴＡ０の位相が基準信号ＲＥＦ０の位相よりも進んでいる場合には、その位相差分のパルス幅を有する位相進み検出信号Ｒを出力する。また、位相変調信号ＤＡＴＡ０の位相が基準信号ＲＥＦ０の位相よりも遅れている場合には、その位相差分のパルス幅を有する位相遅れ検出信号Ｓを出力する。
【００４５】
ＲＳラッチ２２は、セット入力に位相遅れ検出信号Ｓが印可されると、出力ＤＯＵＴを”１”とし、リセット入力に位相進み検出信号Ｒが印可されると、出力ＤＯＵＴを”０”とする。そして、復調出力ＤＯＵＴのレベルから、伝送されてきたデータを得ることができる。
【００４６】
以上説明したように、本発明の実施例では、ＬＳＩや伝送路の遅延バラツキによる基準信号と位相変調信号とのスキューを低減し、受信装置に受信される基準信号と位相変調信号との位相関係を送信時の位相関係と等しくすることで、ジッタなどノイズに対するマージンを拡大することができるので誤動作を防止しデータ伝送の高速化を図ることができる。
【００４７】
なお、制御回路５はデータ受信装置２内に含まれていてもよいことは勿論である。
【図面の簡単な説明】
【００４８】
【図１】本発明の実施例によるデータ伝送システムの構成を示す図である。
【図２】図１のデータ送信装置の構成を示す図である。
【図３】（ａ）は図１の可変遅延器の構成例を示す図であり、（ｂ）は負荷の構成を示す図である。
【図４】図１の制御回路の構成例を示す図である。
【図５】（ａ）は調整期間における図１のデータ送信装置の動作を示すタイミングチャートであり、（ｂ）は調整期間における図１のデータ受信装置及び制御回路の動作を示すタイミングチャートである。
【図６】（ａ）はデータ伝送期間における図１のデータ送信装置の動作を示すタイミングチャートであり、（ｂ）はデータ伝送期間における図１のデータ受信装置及び制御回路の動作を示すタイミングチャートである。
【図７】従来のデータ伝送システムの構成を示す図である。
【図８】図７のデータ送信装置の構成を示す図である。
【図９】図７のデータ受信装置の構成を示す図である。
【図１０】（ａ）は図７のデータ送信装置の動作を示すタイミングチャートであり、（ｂ）は図７のデータ受信装置の動作を示すタイミングチャートである。
【図１１】（ａ）〜（ｃ）は図７のデータ伝送システムの問題点について説明するための図である。
【符号の説明】
【００４９】
２    データ受信装置
３    データ送信装置
４ａ，４ｂ    可変遅延器
５    制御回路
１１，１２    遅延回路
１３，１４    マルチプレクサ
３１    ＮＯＲ回路
３２，４−１〜４−８    インバータ
４−９〜４−１４    負荷
【図１】
2005328107.tif 000003
【図２】
2005328107.tif 000004
【図３】
2005328107.tif 000005
【図４】
2005328107.tif 000006
【図５】
2005328107.tif 000007
【図６】
2005328107.tif 000008
【図７】
2005328107.tif 000009
【図８】
2005328107.tif 000010
【図９】
2005328107.tif 000011
【図１０】
2005328107.tif 000012
【図１１】
2005328107.tif 000013